(57)【要約】【課題】ユーザ登録を必要とすることなく印刷物受領者固有の情報が管理されたサービスを提供できるとともに、配布者側が印刷物受領者の分類や管理を容易に行える印刷物を作成することができる画像情報形成装置を提供する。【解決手段】画像データにＱＲコードを合成する場合、ＱＲコード情報入力画面で入力されたＵＲＬ、識別情報を記憶した後、原稿の画像データを読み取り、保存する（S101〜S105）。次に、付与ＩＤが個別でない場合、識別情報をクエリとして付加したＵＲＬを含んだＱＲコードを生成し、画像データと一体化した後、設定部数を印刷する（S106〜S109）。また、付与ＩＤが「個別」の場合、一部印刷する毎にＩＤを変更しながらＱＲコードを添付した画像データを印刷する（S110〜S114）。【選択図】図３
2009182909.tif 000002
【特許請求の範囲】
【請求項１】
ウェブサイトへのアクセス情報と複数の識別情報を入力する情報入力部と、二次元コードを生成する二次元コード生成部と、画像データを記録する記録部と、上記各部を制御する制御部とを備えた画像情報形成装置であって、
上記二次元コード生成部が、上記情報入力部で入力された識別情報をクエリとして含んだウェブサイトへのアクセス情報を二次元コード化し、上記制御部が、上記二次元コード生成部で生成された二次元コードを画像データに添付して上記記録部により記録することを特徴とする画像情報形成装置。
【請求項２】
請求項１に記載の画像情報形成装置において、
上記識別情報にＩＤ情報が含まれていることを特徴とする画像情報形成装置。
【請求項３】
請求項２に記載の画像情報形成装置において、
画像データの複数部数の記録時に、上記制御部が、一部毎にＩＤ情報を変更して上記二次元コード生成部に二次元コードを生成させることを特徴とする画像情報形成装置。
【請求項４】
請求項３に記載の画像情報形成装置において、
画像データの複数部数の記録時に、ＩＤ情報を同一とするか、一部毎にＩＤ情報を変更するかを上記情報入力部で選択できることを特徴とする画像情報形成装置。
【発明の詳細な説明】
【技術分野】
【０００１】
本発明は、画像情報形成装置、特に二次元コード、例えば、ＱＲコードの添付機能を備えた画像情報形成装置に関する。
【背景技術】
【０００２】
最近、ウェブサイトのＵＲＬ情報を含んだＱＲ（クイック・レスポンス）コードが記載された資料やチラシ等の印刷物を複数人に配り、印刷物を受け取った人（以下、印刷物受領者という）にウェブサイトを閲覧してもらうことが行われている。すなわち、印刷物受領者は印刷物に記載されているＱＲコードをカメラ付携帯電話で撮影したり、あるいは、スキャナで読み込んだりしてＵＲＬを取得することにより、容易に印刷物の配布者のウェブサイトを閲覧することができる。
【０００３】
一方、複写機能、ファクシミリ機能、プリント機能等を備えたデジタル複合機にＱＲコード作成機能を設け、スキャナで読み取った画像データまたはホスト端末から送信された画像データにＱＲコードを添付することが考えられている。
【０００４】
例えば、複合機において、ＵＲＬを含む情報をＱＲコード画像に変換し、このＱＲコード画像を送信対象の画像に添付してファックス送信することにより、受信者にＵＲＬで示された情報を取得させることが提案されている（例えば、特許文献１参照）。
【特許文献１】特開２００７−２３５７５０
【発明の開示】
【発明が解決しようとする課題】
【０００５】
上記のように、印刷物にＱＲコードを記載することによりウェブサイトへのアクセスは容易になるが、ウェブサイトにおいてユーザ登録が必要な場合には、印刷物受領者がＩＤ登録等を実行しなければならず、手間がかかるという問題がある。
また、ウェブサイト側ではアクセスしてきたユーザが印刷物受領者か否かを判断することはできず、アクセスしてきたユーザに関する情報が得られないので、ユーザの分類や管理を行うことは不可能であった。
【０００６】
本発明は、上記の問題に鑑みてなされたもので、ユーザ登録を必要とすることなく印刷物受領者固有の情報が管理されたサービスを提供できるとともに、配布者側が印刷物受領者の分類や管理を容易に行える印刷物を作成することができる画像情報形成装置を提供することを目的とする。
【課題を解決するための手段】
【０００７】
上述の目的を達成するため、本発明の画像情報形成装置は、ウェブサイトへのアクセス情報、例えば、ＵＲＬと、ＩＤ情報等の複数の識別情報を入力する情報入力部と、二次元コードを生成する二次元コード生成部と、画像データを記録する記録部と、上記各部を制御する制御部とを備えた画像情報形成装置であって、上記二次元コード生成部が、上記情報入力部で入力された識別情報をクエリとして含んだウェブサイトへのアクセス情報を二次元コード化し、上記制御部が、上記二次元コード生成部で生成された二次元コードを画像データに添付して上記記録部により記録することを特徴とする。
なお、クエリはＵＲＬの一部に付加された情報のことであり、ユーザが入力したパラメータの送信、ウェブページ間のパラメータの受け渡し、ウェブアプリケーションへのパラメータ付きリンク等の用途に使用されている。
【０００８】
また、本発明の他の画像情報形成装置は、上記の画像情報形成装置において、画像データの複数部数の記録時に、上記制御部が、一部毎にＩＤ情報を変更して上記二次元コード生成部に二次元コードを生成させることを特徴とする。
【発明の効果】
【０００９】
本発明の画像情報形成装置によれば、ＩＤ情報等の識別情報がクエリとして含まれているウェブサイトのアクセス情報、例えば、ＵＲＬを二次元コード化して印刷物に記録することができる。したがって、印刷物受領者はユーザ登録を行うことなく印刷物受領者固有の情報が管理されたサービスを受けることができる。
また、本発明の画像情報形成装置によれば、ＵＲＬのクエリとして様々な識別情報を含ませることができるので、印刷物の配布者はアクセス情報に基づいて印刷物受領者の分類や管理を容易に行うことができる。
【００１０】
また、本発明の他の画像情報形成装置によれば、印刷物の一枚毎にＩＤ情報を変更することができ、印刷物毎に内容の異なるものを作成できるので、さらにきめ細かく印刷物受領者の分類や管理を行うことができる。
【実施例】
【００１１】
以下、本発明の画像情報形成装置をデジタル複合機に適用した実施例について説明する。デジタル複合機はコピーモード、プリンタモード、ファクスモードの各機能を備えるとともに、ＬＡＮ等を介してインターネット網に接続可能であり、インターネット網を介してメールの送受信を行うこともできる。
【００１２】
図１はデジタル複合機のハードウェア構成を示すブロック図である。ＣＰＵ１はバス１４を介してデジタル複合機のハードウェア各部を制御するとともに、ＲＯＭ（Read  Only  Memory）２に記憶されたプログラムに基づいて各種のプログラムを実行する。ＲＯＭ２はデジタル複合機の動作に必要な種々のプログラムや操作メッセージ等を予め記憶しており、ＳＲＡＭ（Static  Random  Access  Memory）３は、プログラムの実行時に発生する一時的なデータを記憶する。
【００１３】
表示部４は、デジタル複合機の動作状態の表示及び種々の機能の操作画面の表示を行う表示器よりなり、操作部５は、デジタル複合機を操作するための多数の操作キーから構成されている。
図２はこの表示部４と操作部５の詳細な構成を示す図である。表示部４を構成するＬＣＤ表示部２１には、タッチパネルスイッチが配設され、ＬＣＤ表示部２１に表示された項目部分を押下することで、対応する項目の選択や機能の実行を行うことができる。
【００１４】
また、操作キーとして、テンキー２２、スタートキー２３、リセットキー２４、ストップキー２５、複数のワンタッチダイヤルキー２６、十字キー２７、リターンキー２８、セットキー２９が設けられている。さらに、機能切替キーとして、ＦＡＸ切替キー３０、コピー切替キー３１、スキャナ切替キー３２が設けられている。なお、ＬＣＤ表示部２１によりこれらの操作キーあるいは機能切替キーの一部又は全部を代用することも可能である。
【００１５】
読取部６はオートドキュメントフィーダー（ＡＤＦ）やフラットベッドスキャナ（ＦＢＳ）等の読取り用原稿載置台を備え、ＣＣＤ等を利用したスキャナで原稿を読み取り、ドットイメージデータを出力する。
また、画像メモリ７は、ＤＲＡＭ等を用いて構成され、送信すべき画像データまたは受信した画像データあるいは読取部６で読み取った画像データを記憶する。記録部８は電子写真方式等のプリンタ装置を備え、受信した画像データ、コピー原稿データあるいは外部のホスト端末等から送信されたプリントデータを印刷する。
【００１６】
コーデック９は所定のプロトコルに対応して符号化及び復号するものであり、読み取った原稿の画像データを送信するためにＭＨ、ＭＲまたはＭＭＲ方式により符号化するとともに、外部から受信した画像データを復号する。また、このコーデック９は、電子メールに添付可能なファイルとして一般的に利用される画像フォーマットであるＴＩＦＦ方式等にも対応して符号化、復号する。
【００１７】
モデム１０はバス１４に接続されており、ファクシミリ通信が可能なファクスモデムとしての機能を有し、このモデム１０は同様にバス１４に接続されたＮＣＵ１１と接続されている。ＮＣＵ１１はアナログ回線の閉結及び開放の動作を行うハードウェアであり、必要に応じてモデム１０を公衆交換電話網（ＰＳＴＮ）１５に接続する。
【００１８】
ＬＡＮインターフェース（Ｉ／Ｆ）１２はＬＡＮ１６に接続され、ＬＡＮ１６に接続されたホスト端末からのデータあるいはインターネット網からのデータを受信する。また、このＬＡＮインターフェース１２は、ＬＡＮ１６に対してデータの送信も行うものであり、信号変換あるいはプロトコル変換などのインターフェース処理を実行する。
また、ＱＲコード生成部１３は、入力された情報をエンコードすることによりＱＲコードを生成する。
【００１９】
デジタル複合機は上記のような構成を備えており、ファクシミリ送信時には、原稿の画像データが読取部６で読み取られ、コーデック９で圧縮されて画像メモリ７に蓄積される。この圧縮された画像データが画像メモリ７から読み出されてモデム１０で変調され、ＮＣＵ１１からＰＳＴＮ１５を通して通信相手先に送信される。また、ファクシミリ受信時には、受信した画像データがモデム１０で復調され、画像メモリ７に蓄積された後、コーデック９で復号されて記録部８により印刷される。
【００２０】
さらに、ユーザがコピーを行う場合には、読取部６のＡＤＦまたはＦＢＳに原稿をセットし、コピー設定画面で記録用紙サイズの選択、コピー部数の設定等を行う。その後、ユーザが操作部５のスタートキー２３を押下することにより、原稿の画像データが読取部６で読み取られ、コーデック９で圧縮されて画像メモリ７に蓄積された後、コーデック９で復号されて記録部８により印刷される。
【００２１】
一方、このデジタル複合機は、画像データにＵＲＬ情報を含むＱＲコードを合成して印刷する機能を備えており、以下、読取部６で読み取った画像データにＱＲコードを合成する場合の作用について、図３のフローチャートにより説明する。
【００２２】
読取部６のＡＤＦまたはＦＢＳに原稿をセットした後、ユーザがＬＣＤ表示部２１に表示された機能選択画面でＱＲコード付与機能を選択した場合、ＣＰＵ１は、図３のフローチャートに示すＱＲコード付与プログラムを開始する。このＱＲコード付与プログラムを開始した場合、ＣＰＵ１は、ＬＣＤ表示部２１にＱＲコード情報入力画面を表示する（ステップ１０１）。
【００２３】
図４は上記のＱＲコード情報入力画面の一例であり、ＵＲＬの入力枠、ＵＲＬのクエリとして付加する識別情報の項目及び内容の入力枠、印刷部数の入力枠、付与ＩＤの選択欄、「決定」ボタン及び「中止」ボタンが表示されている。
【００２４】
ＵＲＬの入力枠、ＵＲＬのクエリとして付加する識別情報の項目及び内容の入力枠、印刷部数の入力枠は、そのいずれかを押下することにより入力可能となり、テンキー２２を使用して情報を入力することができる。
なお、識別情報の項目及び内容は、入力されたＵＲＬによりアクセスされるウェブサイトの仕様に合わせてユーザが任意に入力することができる。図示の例では、ＩＤとして「AX23093424B」が、印刷物の配布日時（DATE）として「20080130」が、配布場所（LOCATION）として「room1」が入力されている。
【００２５】
また、付与ＩＤの選択欄は複数部数のプリントを行う場合に、同一のＩＤを付与するか、一部毎に異なるＩＤを付与するかを選択するものであり、いずれかの枠を押下することにより選択することができ、選択された側が明るく表示される。
そして、上記の各入力枠に情報を入力した後、「決定」ボタンを押下することにより、ＱＲコードを添付した画像の印刷を行うことができ、「中止」ボタンを押下することにより、画像の印刷を中止することができる。
【００２６】
ＱＲコード情報入力画面を表示した後、ＣＰＵ１は、「決定」ボタンが押下されたか否かを判定し（ステップ１０２）、「決定」ボタンが押下されていないと判定した場合、「中止」ボタンが押下されたか否かを判定する（ステップ１０３）。「中止」ボタンが押下されたと判定した場合、ＣＰＵ１は、プログラムを終了し、「中止」ボタンが押下されていないと判定した場合、ステップ１０２に戻り、再び「決定」ボタンが押下されたか否かを判定する。
【００２７】
そして、ステップ１０２で「決定」ボタンが押下されたと判定した場合、ＣＰＵ１は、ＱＲコード情報入力画面で入力または選択された情報をＳＲＡＭ３に記憶する（ステップ１０４）。次に、ＣＰＵ１は、読取部６にセットされた原稿の画像データを読取部６で読み取り、コーデック９で圧縮して画像メモリ７に保存する（ステップ１０５）。
【００２８】  原稿の画像データを読み取った後、ＣＰＵ１は、ＱＲコード情報入力画面の付与ＩＤの選択欄で「個別」が選択されたか否かを判定する（ステップ１０６）。「同一」が選択されていると判定した場合、ＣＰＵ１は、識別情報をクエリとして付加したＵＲＬを作成し、このクエリ付ＵＲＬを含んだＱＲコードをＱＲコード生成部１３に生成させる（ステップ１０７）。なお、ＱＲコード情報入力画面でユーザが図４に示すように情報を入力した場合、ＵＲＬとして、（公序良俗違反につき、不掲載）が作成され、このＵＲＬを含んだＱＲコードが生成される。【００２９】
次に、ＣＰＵ１は、画像メモリ７から読み出した圧縮画像データをコーデック９で復号したビットマップデータの所定の位置に生成したＱＲコードを合成することにより、画像データとＱＲコードを一体データ化する（ステップ１０８）。この後、ＣＰＵ１は、一体化されたデータをコーデック９で圧縮して画像メモリ７に蓄積した後、コーデック９で復号して記録部８によりＱＲコード情報入力画面で設定された部数だけ印刷する（ステップ１０９）。
これにより、図５に示すように、例えば、右下にＱＲコード４１が添付された資料を作成することができる。
【００３０】
一方、ステップ１０６で「個別」が選択されていると判定した場合、ＣＰＵ１は、識別情報をクエリとして付加したＵＲＬを作成し、このクエリ付ＵＲＬを含んだＱＲコードをＱＲコード生成部１３に生成させる（ステップ１１０）。次に、ＣＰＵ１は、画像メモリ７から読み出した圧縮画像データをコーデック９で復号したビットマップデータの所定の位置に生成したＱＲコードを合成することにより、画像データとＱＲコードを一体データ化する（ステップ１１１）。この後、ＣＰＵ１は、一体化されたデータをコーデック９で圧縮して画像メモリ７に蓄積した後、コーデック９で復号して記録部８により一部だけ印刷する（ステップ１１２）。
【００３１】
次に、ＣＰＵ１は、ＱＲコード情報入力画面で設定された部数を印刷したか否かを判断することにより、印刷終了か否かを判定する（ステップ１１３）。印刷終了でないと判定した場合、ＣＰＵ１は、ＩＤを変更、例えば、現ＩＤに１を加算した値を新ＩＤとしてＳＲＡＭ３に記憶する（ステップ１１４）。この後、ＣＰＵ１は、この新ＩＤと他の識別情報をクエリとして付加したＵＲＬを作成し、ＱＲコード生成部１３にＵＲＬ情報入りＱＲコードを生成させ（ステップ１１０）、同様にして、ＱＲコードを合成した画像データを一部印刷する。そして、ＱＲコード情報入力画面で設定された部数を印刷し、ステップ１１３で印刷終了と判定した場合、ＣＰＵ１は、プログラムを終了する。
【００３２】
以上のように、デジタル複合機により、ＩＤ等の識別情報がクエリとして付加されたＵＲＬが含まれているＱＲコードを印刷物に添付することができる。したがって、図５に示すように、印刷物の受領者はＱＲコード４１をカメラ付携帯電話４２で撮影することにより、ウェブサイト４３に接続し、ユーザ登録をすることなくその受領者固有の情報が管理されたサービスを受けることができる。
【００３３】
また、カメラ付携帯電話４２に換えてデジタル複合機の読取部や他のＱＲコード読取可能な機器を使用してＱＲコードを読み取ることもできる。デジタル複合機の場合には、読取部がＱＲコードを読み込み、ウェブサイトにアクセスして表示パネルにウェブ画面を表示し、ユーザがその後の操作を行うようにすることが可能である。
一方、配布者側では、ＵＲＬにクエリとして含まれている識別情報を取得することにより、ウェブサイトにアクセスしてきたユーザの印刷物の取得場所、取得日時等を把握することができるので、ユーザの分類や管理が容易となる。
【００３４】
なお、上記の実施例では、ＩＤ情報以外の識別情報として、印刷物の配布場所、配布予定日を例として説明したが、印刷物の印刷日時、配布対象あるいは資料のテーマまたは議題を使用することもできる。
また、上記の実施例では、デジタル複合機で読み取った画像にＱＲコードを付与する例について説明したが、ＬＡＮに接続されたホスト端末に保存されている画像データをデジタル複合機に送信してＱＲコードを付与することも可能である。なお、この場合には、ＱＲコード情報入力画面をホスト端末のモニタ画面に表示することにより、ユーザがＵＲＬ等を入力することができる。
【００３５】
さらに、上記の実施例では、二次元コードとしてＱＲコードを例として説明したが、その他の二次元コードを用いて本発明を実施することも可能である。
また、上記の実施例では、本発明の画像情報形成装置をデジタル複合機に適用した例について説明したが、本発明はプリンタ等の他の画像情報形成装置にも適用することができる。
【図面の簡単な説明】
【００３６】
【図１】本発明の画像情報形成装置を適用したデジタル複合機のハードウェア構成を示すブロック図である。
【図２】表示部及び操作部の詳細な構成を示す図である。
【図３】ＵＬＲを含むＱＲコードを付与する場合の作用を示すフローチャートである。
【図４】ＱＲコード情報入力画面の一例である。
【図５】ＱＲコードが付与された印刷物の使用例を示す図である。
【符号の説明】
【００３７】
１  ＣＰＵ
２  ＲＯＭ
３  ＳＲＡＭ
４  表示部
５  操作部
６  読取部
７  画像メモリ
８  記録部
９  コーデック
１０  モデム
１１  ＮＣＵ
１２  ＬＡＮインターフェース
１３  ＱＲコード生成部
１４  バス
１５  ＰＳＴＮ
１６  ＬＡＮ
２１  ＬＣＤ表示部
【図１】
2009182909.tif 000003
【図２】
2009182909.tif 000004
【図３】
2009182909.tif 000005
【図４】
2009182909.tif 000006
【図５】
2009182909.tif 000007